(57)【要約】【課題】  大型化や回路配置及び回路構成の複雑化を伴うことなく、しかも精度よく画像データとともに撮影環境情報を得ることのできる電子カメラ及びこの電子カメラに環境情報を供給する撮影環境管理装置、撮影環境管理システムを提供する。【解決手段】  このシステムは無線接続された電子カメラと腕時計とで構成されている。シャッターを押下すると、電子カメラは撮影を開始したことを示す撮影信号を送信し（ステップＡ３１）、撮影処理を実行する（ステップＡ３２）。一方、腕時計は、撮影信号を受信すると（ステップＢ３１；ＹＥＳ）、撮影環境の測定を実行し（ステップＢ３３）、測定値を送信するとともに（ステップＢ３４）、日付、時刻を送信する（ステップＢ３５）。すると、電子カメラは、測定値を受信し（ステップＡ３３）、日付、時刻を受信し（ステップＡ３４）、画像に対応付けて、日付、時刻及び撮影環境の測定値を記憶する。【選択図】    図６
2006093931.tif 000002
【特許請求の範囲】
【請求項１】
被写体を撮影して画像データを得る撮影手段と、
この撮影時において撮影信号を送信するとともに、前記画像データの再生時において、当該画像データを特定するためのコードを送信する送信手段と、
前記コードに応答して外部機器から送信され、当該外部機器が前記撮影信号に応答して予め前記撮影時に検出した環境データを受信する受信手段と
を備えることを特徴とする電子カメラ。
【請求項２】
送信される撮影信号と、画像データを特定するためのコードとを受信する受信手段と、
この受信手段で前記撮影信号を受信した際に、撮影環境を検出して環境データを得る撮影環境検出手段と、
この撮影環境検出手段により検出された前記環境データを記憶する記憶制御手段と、
前記受信手段によるコードの受信に応答して、前記記憶制御手段により記憶されている環境データを送信する送信手段と
を備えることを特徴とする撮影環境管理装置。
【請求項３】
前記受信手段は、前記撮影信号とともに前記コードを更に受信し、
前記記憶制御手段は、前記コードに対応して前記環境データを記憶することを特徴とする請求項２記載の撮影環境管理装置。
【請求項４】
被写体を撮影して画像データを得る撮影手段と、
この撮影時において撮影信号を送信する送信手段と、
前記撮影信号に応答して送信される環境データを受信する受信手段と、
前記画像データを記憶するとともに、当該画像データに対応して前記環境データを記憶する記憶制御手段と
を備えることを特徴とする電子カメラ。
【請求項５】
前記画像データと前記環境データとを再生表示する表示制御手段を更に備えることを特徴とする請求項１又は４記載の電子カメラ。
【請求項６】
送信される撮影信号を受信する受信手段と、
この受信手段で前記撮影信号を受信した際に、撮影環境を検出して環境データを得る撮影環境検出手段と、
この撮影環境検出手段により得られた前記環境データを送信する送信手段と
を備えることを特徴とする撮影環境管理装置。
【請求項７】
被写体を撮影して画像データを得る撮影手段と、
この撮影に際して撮影信号を送信する送信手段と、
前記撮影信号に応答して送信される環境データを受信する受信手段と、
この受信した環境データに基づいて、前記被写体を撮影するのに適した撮影条件を設定する撮影条件設定手段と
を備えることを特徴とする電子カメラ。
【請求項８】
電子カメラと撮影環境管理装置とで構成され、
前記電子カメラは、
被写体を撮影して画像データを得る撮影手段と、
この撮影時において撮影信号を送信するとともに、前記画像データの再生時において、当該画像データを特定するためのコードを送信する送信手段と、
前記コードに応答して前記撮影環境管理装置から送信される環境データを受信する受信手段とを備え、
前記撮影環境管理装置は、
前記撮影信号と、前記コードとを受信する受信手段と、
この受信手段で前記撮影信号を受信した際に、撮影環境を検出して環境データを得る撮影環境検出手段と、
この撮影環境検出手段により検出された前記環境データを記憶する記憶制御手段と、
前記受信手段によるコードの受信に応答して、前記記憶制御手段により記憶されている環境データを送信する送信手段と
を備えることを特徴とする撮影環境管理システム。
【請求項９】
電子カメラと撮影環境管理装置とで構成され、
前記電子カメラは、
被写体を撮影して画像データを得る撮影手段と、
この撮影時において撮影信号を送信する送信手段と、
前記撮影信号に応答して送信される環境データを受信する受信手段と、
前記画像データを記憶するとともに、当該画像データに対応して前記環境データを記憶する記憶制御手段とを備え、
前記撮影環境管理装置は、
前記撮影信号を受信する受信手段と、
この受信手段で前記撮影信号を受信した際に、撮影環境を検出して環境データを得る撮影環境検出手段と、
この撮影環境検出手段により得られた前記環境データを送信する送信手段と
を備えることを特徴とする撮影環境管理システム。
【請求項１０】
電子カメラと撮影環境管理装置とで構成され、
前記電子カメラは、
被写体を撮影して画像データを得る撮影手段と、
この撮影に際して撮影信号を送信する送信手段と、
前記撮影信号に応答して送信される環境データを受信する受信手段と、
この受信した環境データに基づいて、前記被写体を撮影するのに適した撮影条件を設定する撮影条件設定手段とを備え、
前記撮影環境管理装置は、
前記撮影信号を受信する受信手段と、
この受信手段で前記撮影信号を受信した際に、撮影環境を検出して環境データを得る撮影環境検出手段と、
この撮影環境検出手段により得られた前記環境データを送信する送信手段と
を備えることを特徴とする撮影環境管理システム。
【請求項１１】
前記撮影環境管理装置は、人体の腕に装着可能であることを特徴とする請求項８、９又は１０記載の撮影環境管理システム。
【発明の詳細な説明】
【技術分野】
【０００１】
本発明は、電子カメラ、この電子カメラに環境情報を供給する撮影環境管理装置、及びこれら電子カメラと撮影環境管理装置とで構成される撮影環境管理システムに関する。
【背景技術】
【０００２】
従来、撮影環境情報を記録する機能を備えたカメラが提案されている。このカメラは、温度センサ、気圧センサ等の環境情報を検出するセンサを有し、撮影時にこれらセンサにより環境情報を検出して、フィルムの撮影画面に一体的に写し込む。したがって、撮影された写真に温度、気圧等が記録されるため、別途メモを取る必要がなく、また、画像と撮影環境情報とが一体化された写真により当該写真の信憑性が高められるとするものである（例えば、特許文献１参照。）。
【特許文献１】特開平１０−１１５８６１号公報
【発明の開示】
【発明が解決しようとする課題】
【０００３】
しかしながら、従来のようにカメラ自体に複数のセンサを備えると、センサ配置スペースが必要となり、カメラ本体が大型化してコンパクト化を図ることが困難となるとともに、回路配置及び回路構成が複雑化して製造効率が低下してしまう。
【０００４】
また、電子カメラの場合、ＭＰＵからの制御信号、ＡＦドライバーからの駆動信号、ＣＣＤを制御するためのタイミング信号、ＣＣＤからの撮像信号等の各種信号が用いられ、一方各種センサにおいても信号により環境情報を出力する。したがって、カメラ自体に複数のセンサを備えると、カメラ側で用いている信号にセンサ側からの信号がノイズとなって影響し、カメラ性能が低下したり、逆にセンサ側の信号にカメラ側からの信号がノイズとなって影響し、センサの精度を低下するおそれがある。
【０００５】
本発明は、かかる従来の課題に鑑みてなされたものであり、大型化や回路配置及び回路構成の複雑化を伴うことなく、しかも精度よく画像データとともに撮影環境情報を得ることのできる電子カメラ及びこの電子カメラに環境情報を供給する撮影環境管理装置、並びにこれら電子カメラと撮影環境管理装置とで構成される撮影環境管理システムを提供することを目的とする。
【課題を解決するための手段】
【０００６】
前記課題を解決するために請求項１記載の発明に係る電子カメラにあっては、被写体を撮影して画像データを得る撮影手段と、この撮影時において撮影信号を送信するとともに、前記画像データの再生時において、当該画像データを特定するためのコードを送信する送信手段と、前記コードに応答して外部機器から送信され、当該外部機器が前記撮影信号に応答して予め前記撮影時に検出した環境データを受信する受信手段とを備える。
【０００７】
したがって、この電子カメラにおいて、撮像した画像データと撮影時の環境データとを得ることができる。このとき、環境データは当該カメラ装置に設けられているセンサで検出するのではなく、受信することから、当該電子カメラにセンサを設ける必要がない。よって、複数のセンサを設けることに起因して電子カメラが大型化することはなく、コンパクト化を図ることが容易となるとともに、回路配置及び回路構成が複雑化して製造効率が低下してしまうこともない。また、電子カメラ側で用いている信号にセンサ側からの信号がノイズとなって影響してカメラ性能が低下することもなく、センサ側の信号にカメラ側からの信号がノイズとなって影響してセンサの精度を低下させることもない。よって、大型化や回路配置及び回路構成の複雑化を伴うことなく、しかも精度よく画像データとともに撮影環境データを得ることができる。
【０００８】
また、請求項２記載の発明に係る撮影環境管理装置にあっては、送信される撮影信号と、画像データを特定するためのコードとを受信する受信手段と、この受信手段で前記撮影信号を受信した際に、撮影環境を検出して環境データを得る撮影環境検出手段と、この撮影環境検出手段により検出された前記環境データを記憶する記憶制御手段と、前記受信手段によるコードの受信に応答して、前記記憶制御手段により記憶されている環境データを送信する送信手段とを備える。
【０００９】
したがって、この撮影環境管理装置に電子カメラから撮影時に撮影信号が送信されると、撮影環境を検出して環境データを得るとともに記憶し、コードが送信されると、記憶してある環境データを送信する。したがって、この撮影環境管理装置により、電子カメラ側に環境情報を検出するセンサが設けられていなくても、撮影時の環境データが得られる電子カメラとすることができる。
【００１０】
また、請求項３記載の発明に係る撮影環境管理装置にあっては、前記受信手段は、前記撮影信号とともに前記コードを更に受信し、前記記憶制御手段は、前記コードに対応して前記環境データを記憶する。したがって、この撮影環境管理装置は、画像データを特定するためのコードに対応して撮影時の環境データを記憶することができる。したがって、異なる撮影時の環境データが複数記憶させた場合であっても、正確に各画像データに対応する各撮影時の環境データを送信することができる。
【００１１】
また、請求項４記載の発明に係る電子カメラにあっては、被写体を撮影して画像データを得る撮影手段と、この撮影時において撮影信号を送信する送信手段と、前記撮影信号に応答して送信される環境データを受信する受信手段と、前記画像データを記憶するとともに、当該画像データに対応して前記環境データを記憶する記憶制御手段とを備える。
【００１２】
したがって、請求項１記載の発明と同様に、また、電子カメラ側で用いている信号にセンサ側からの信号がノイズとなって影響して、カメラ性能が低下することもなく、また、センサ側の信号にカメラ側からの信号がノイズとなって影響し、センサの精度を低下させることもない。よって、大型化や回路配置及び回路構成の複雑化を伴うことなく、しかも精度よく画像データとともに撮影環境データを得ることができる。
しかも、本発明に係る電子カメラの場合、当該画像データに対応して環境データを記憶することから、再生時に受信を行うことなく、当該電子カメラ側に記憶されているデータのみにより、画像データと環境データとを再生することが可能となる。
【００１３】
また、請求項５記載の発明に係る電子カメラにあっては、前記画像データと前記環境データとを再生表示する表示制御手段を更に備える。したがって、当該電子カメラ側に記憶されている画像データと環境データとを即時に再生表示することができる。
【００１４】
また、請求項６記載の発明に係る撮影環境管理装置にあっては、送信される撮影信号を受信する受信手段と、この受信手段で前記撮影信号を受信した際に、撮影環境を検出して環境データを得る撮影環境検出手段と、この撮影環境検出手段により得られた前記環境データを送信する送信手段とを備える。したがって、電子カメラから撮影時に撮影信号が送信されると、撮影環境を検出して環境データを得るとともに、この環境データを送信する。よって、この撮影環境管理装置により、電子カメラ側に環境情報を検出するセンサが設けられていなくても、撮影時の環境データが得られる電子カメラとすることができる。
【００１５】
また、請求項７記載の発明に係る電子カメラにあっては、被写体を撮影して画像データを得る撮影手段と、この撮影に際して撮影信号を送信する送信手段と、前記撮影信号に応答して送信される環境データを受信する受信手段と、この受信した環境データに基づいて、前記被写体を撮影するのに適した撮影条件を設定する撮影条件設定手段とを備える。
【００１６】
したがって、この電子カメラにおいて、撮影時の環境データとを得ることができるとともに、この環境データに基づいて、被写体を撮影するのに適した撮影条件を設定して撮影を行うことができる。このとき、環境データは当該カメラ装置に設けられているセンサで検出するのではなく、受信することから、当該電子カメラにセンサを設ける必要がない。よって、複数のセンサを設けることに起因して電子カメラが大型化することはなく、コンパクト化を図ることが容易となるとともに、回路配置及び回路構成が複雑化して製造効率が低下してしまうこともない。また、電子カメラ側で用いている信号にセンサ側からの信号がノイズとなって影響して、カメラ性能が低下することもなく、また、センサ側の信号にカメラ側からの信号がノイズとなって影響し、センサの精度を低下させることもない。よって、大型化や回路配置及び回路構成の複雑化を伴うことなく、しかも適切な撮影条件で撮影を行うことができる。
【００１７】
また、請求項８記載の発明に係る撮影環境管理システムにあっては、電子カメラと撮影環境管理装置とで構成され、前記電子カメラは、被写体を撮影して画像データを得る撮影手段と、この撮影時において撮影信号を送信するとともに、前記画像データの再生時において、当該画像データを特定するためのコードを送信する送信手段と、前記コードに応答して前記撮影環境管理装置から送信される環境データを受信する受信手段とを備え、前記撮影環境管理装置は、前記撮影信号と、前記コードとを受信する受信手段と、この受信手段で前記撮影信号を受信した際に、撮影環境を検出して環境データを得る撮影環境検出手段と、この撮影環境検出手段により検出された前記環境データを記憶する記憶制御手段と、前記受信手段によるコードの受信に応答して、前記記憶制御手段により記憶されている環境データを送信する送信手段とを備える。
【００１８】
したがって、電子カメラ側で用いている信号にセンサ側からの信号がノイズとなって影響して、カメラ性能が低下することもなく、また、センサ側の信号にカメラ側からの信号がノイズとなって影響し、センサの精度を低下させることもない。よって、大型化や回路配置及び回路構成の複雑化を伴うことなく、しかも精度よく画像データとともに撮影環境データを得ることができる電子カメラをシステム的に確立することができる。
【００１９】
また、請求項９記載の発明に係る撮影環境管理システムにあっては、電子カメラと撮影環境管理装置とで構成され、前記電子カメラは、被写体を撮影して画像データを得る撮影手段と、この撮影時において撮影信号を送信する送信手段と、前記撮影信号に応答して送信される環境データを受信する受信手段と、前記画像データを記憶するとともに、当該画像データに対応して前記環境データを記憶する記憶制御手段とを備え、前記撮影環境管理装置は、前記撮影信号を受信する受信手段と、この受信手段で前記撮影信号を受信した際に、撮影環境を検出して環境データを得る撮影環境検出手段と、この撮影環境検出手段により得られた前記環境データを送信する送信手段とを備える。
【００２０】
したがって、請求項８記載の発明と同様に、また、電子カメラ側で用いている信号にセンサ側からの信号がノイズとなって影響して、カメラ性能が低下することもなく、また、センサ側の信号にカメラ側からの信号がノイズとなって影響し、センサの精度を低下させることもない。よって、大型化や回路配置及び回路構成の複雑化を伴うことなく、しかも精度よく画像データとともに撮影環境データを得ることができる電子カメラをシステム的に確立することができる。
【００２１】
また、請求項１０記載の発明に係る撮影環境管理システムにあっては、電子カメラと撮影環境管理装置とで構成され、前記電子カメラは、被写体を撮影して画像データを得る撮影手段と、この撮影時において撮影信号を送信する送信手段と、前記撮影信号に応答して送信される環境データを受信する受信手段と、前記画像データを記憶するとともに、当該画像データに対応して前記環境データを記憶する記憶制御手段とを備え、前記撮影環境管理装置は、前記撮影信号を受信する受信手段と、この受信手段で前記撮影信号を受信した際に、撮影環境を検出して環境データを得る撮影環境検出手段と、この撮影環境検出手段により得られた前記環境データを送信する送信手段とを備える。
【００２２】
したがって、電子カメラ側で用いている信号にセンサ側からの信号がノイズとなって影響して、カメラ性能が低下することもなく、また、センサ側の信号にカメラ側からの信号がノイズとなって影響し、センサの精度を低下させることもない。よって、大型化や回路配置及び回路構成の複雑化を伴うことなく、適切な撮影条件で撮影を行うことができる電子カメラをシステム的に確立することができる。
【００２３】
また、請求項１１記載の発明に係る撮影環境管理システムにあっては、前記撮影環境管理装置は、人体の腕に装着可能である。したがって、各ユーザが腕に撮影環境管理装置を装着して電子カメラで撮影を行うことにより、ユーザ毎の撮影環境管理システム確立することができる。また、電子カメラと撮影環境管理装置とが近接することから、簡易的な近接無線を利用して両者を無線通信させることができる。
【発明の効果】
【００２４】
以上説明したように請求項１及び請求項４に係る電子カメラによれば、複数のセンサを設けることに起因して大型化することはなく、コンパクト化を図ることが容易となるとともに、回路配置及び回路構成が複雑化して製造効率が低下してしまうこともない。また、電子カメラ側で用いている信号にセンサ側からの信号がノイズとなって影響して、カメラ性能が低下することもなく、また、センサ側の信号にカメラ側からの信号がノイズとなって影響し、センサの精度を低下させることもない。よって、大型化や回路配置及び回路構成の複雑化を伴うことなく、しかも精度よく画像データとともに撮影環境データを得ることができる。
【００２５】
また、請求項７に係る電子カメラによれば、カメラ側で用いている信号にセンサ側からの信号がノイズとなって影響して、カメラ性能が低下することもなく、また、センサ側の信号にカメラ側からの信号がノイズとなって影響し、センサの精度を低下させることもない。よって、大型化や回路配置及び回路構成の複雑化を伴うことなく、適切な撮影条件で撮影を行うことができる。
【００２６】
また、請求項２及び請求項６に係る撮影環境管理装置によれば、電子カメラ側に環境情報を検出するセンサが設けられていなくても、撮影時の環境データが得られる電子カメラとすることができる。
【００２７】
また、請求項８及び請求項９に係る撮影環境管理システムによれば、カメラ側で用いている信号にセンサ側からの信号がノイズとなって影響して、カメラ性能が低下することもなく、また、センサ側の信号にカメラ側からの信号がノイズとなって影響し、センサの精度を低下させることもない。よって、大型化や回路配置及び回路構成の複雑化を伴うことなく、しかも精度よく画像データとともに撮影環境データを得ることができる電子カメラをシステム的に確立することができる。
【００２８】
また、請求項１０に係る撮影環境管理システムによれば、カメラ側で用いている信号にセンサ側からの信号がノイズとなって影響して、カメラ性能が低下することもなく、また、センサ側の信号にカメラ側からの信号がノイズとなって影響し、センサの精度を低下させることもない。よって、大型化や回路配置及び回路構成の複雑化を伴うことなく、適切な撮影条件で撮影を行うことができる電子カメラをシステム的に確立することができる。
【発明を実施するための最良の形態】
【００２９】
以下、本発明の一実施の形態を図に従って説明する。
（第１の実施の形態）
図１は、本発明の各実施の形態に共通する撮影環境管理システムのシステム構成図であって、このシステムは近接無線方式の一つであるブルートゥース（Ｂｌｕｅｔｏｏｔｈ）により無線接続される電子カメラ１と撮影環境管理装置として腕時計５とで構成されている。電子カメラ１は、ボディ１１を有し、このボディ１１の全面には固定レンズ１２、光学ファインダ１３及びストロボ１４が配置され、上面にはシャッター１５と送受信部１６とが設けられている。なお、ボディ１１の背面側には、後述するＴＦＴ液晶モニター３２が配置されている。
【００３０】
一方、腕時計５は、時計側ケース５１と、この時計側ケース５１の両端部に結合されたリストバンド５２、５３とから構成されている。時計側ケース５１には、後述するセンサを内蔵するセンサ内蔵部５４が突設されており、一方のリストバンド５２が結合された側面に送受信部５５が設けられている。また、時計側ケース５１の上面には風防ガラス５６が装着されており、この上面と時計側ケース５１の他方の側面には複数のキー５７が設けられている。
【００３１】
図２は、電子カメラ１の回路構成の概略を示すブロック構成図である。この電子カメラ１は、固体撮像素子であるＣＣＤ１７により撮像した画像をＪＰＥＧ等の所定の規格に基づく符号化データに変換する等の画像処理機能、及び現在時刻、日付を計時する機能を備えたＭＰＵ１８を中心に構成されている。ＣＣＤ１７の受光面には、固定レンズ１２、フォーカスレンズ１９、絞り２０を通過して被写体の光学像が結像される。フォーカスレンズ１９はＡＦモータ等からなる駆動機構２１に保持されており、ＭＰＵ１８からの制御信号によりＡＦドライバー２２が出力する駆動信号が駆動機構２１に供給されることにより光軸上を前後動する。絞り２０は、ＭＰＵ１８からの制御信号に基づき絞り駆動部２３が発生する駆動信号により駆動しＣＣＤ１７に入射する被写体像の光量を調整する。
【００３２】
また、ＭＰＵ１８には、タイミング信号を発生するＴＧ（Timming Generater ）２４が接続されており、ＴＧ２４が発生したタイミング信号に基づきＶドライバー２５（垂直方向ドライバー）がＣＣＤ１７を駆動し、それに伴いＣＣＤ１７により被写体像の輝度に応じたアナログの撮像信号が出力されユニット回路２６へ送られる。ユニット回路２６は、ＣＣＤ１７から出力された撮像信号を保持するＣＤＳと、ＣＤＳから撮像信号を供給されるアナログアンプであるゲイン調整アンプ（ＡＧＣ）と、ゲイン調整アンプに増幅され調整された撮像信号を画像データに変換するＡ／Ｄ変換器（ＡＤ）とからなり、ＣＣＤ１７の出力信号は、ここで黒レベルを合わせてサンプリングされデジタル信号としてＭＰＵ１８に送られる。送られたデジタル信号（撮像信号）はＤＲＡＭ２７に一時保存されるとともに、ＭＰＵ１８によって各種の画像処理が施された後、最終的には圧縮された映像信号データからなる画像ファイルとして着脱可能なフラッシュメモリ（ＦＬＡＳＨ）２８に保存される。
【００３３】
さらに、ＭＰＵ１８にはＭＲＯＭ２９と、電源回路３０、図１に示したシャッター１５及び後述するフローチャートに示す送りキー等を含む操作キー部３１、前記ＴＦＴ液晶モニター３２、前記ストロボ１４、前記送受信部１６が接続されている。ＭＲＯＭ２９は、ＭＰＵ１８の動作プログラムが記録されたプログラムＲＯＭである。ＭＲＯＭ２９には撮影時の適正な露出値（ＥＶ）に対応する絞り値（Ｆ）とシャッタースピードとの組み合わせを示すプログラム線図を構成するプログラムＡＥデータ等の各データが格納されている。そして、ＭＰＵ１８は、内蔵するＲＡＭをワーキングメモリとして前記動作プログラムに従い動作することにより、後述するフローチャートに示す処理を実行する。
【００３４】
また、ＭＰＵ１８は、前記プログラム線図に従ってＣＣＤ１７の電荷蓄積時間や、前記絞り２０の開放度、前記ユニット回路２６のゲイン調整アンプ（ＡＧＣ）のゲイン設定等を行う。ＭＰＵ１８が設定した電荷蓄積時間はシャッターパルスとして、ＴＧ２４を介してＶドライバー２５に供給され、これに従いＶドライバー２５がＣＣＤ１７を駆動することにより電荷蓄積時間すなわち露光時間（シャッタ速度）が制御される。また、ＭＲＯＭ２９に格納された動作プログラムには、オートフォーカス制御に関するプログラムが含まれており、かかるプログラムに基づきＭＰＵ１８は、前記フォーカスレンズ１９を駆動させピント合わせを行う。
【００３５】
なお、ＭＲＯＭ２９に記憶されているプログラムデータ等は、その記録内容の保持が可能であれば、別途固定的に設けたもの、若しくは脱着自在に装着可能なＩＣカード等の他の記録媒体に記録される構成にしてもよく、更に、前記プログラムデータ等をパソコン等の他の機器から供給可能な構成としてもよい。
【００３６】
ＴＦＴ液晶モニター３２は、撮影モードにおいては逐次撮像された画像をスルー画像として表示し、再生モードにおいては前記フラッシュメモリ２８に記録された画像データから生成されたアナログビデオ信号に基づく映像を表示する。ストロボ１４は、シャッター１５が押された撮影操作時に必要に応じて駆動され補助光を発する。送受信部１６はブルートゥース方式で腕時計５と近接無線通信を行うものであり、送受信部１６を介してＭＰＵ１８は腕時計５との間でデータの通信を行う。
【００３７】
図３は、腕時計５は回路構成の概略を示すブロック構成図である。図示のように、この回路はＣＰＵ５８を中心にして構成され、ＣＰＵ５８は、ＲＯＭ５９に格納されているプログラムに基づき動作することにより、各部を制御するものである。ＲＡＭ６０は、ＣＰＵ５８が動作する際に使用されるワークエリアが設けられているとともに、後述するように各種データを格納する記憶部が設けられている。
【００３８】
発振回路６１は、常時一定周波数のクロック信号を送出している回路部である。分周回路６２は発振回路６１からのクロック信号を計数して計数値が１秒に対応する値になる都度、１秒信号を時計計数回路６に送出するとともに、ＣＰＵ５８からのプリセット信号を受けると計数値が所定値にセットされる回路部である。時計計数回路６３は、分周回路６２からの前記１秒信号を計数して、現在時刻データすなわち現在の日付データ、現在の曜日データ、現在の時データ、現在の分データ、現在の秒データを得て、これをＣＰＵ５８に与える回路である。
【００３９】
スイッチ部６４は、前記複数のキー５７で構成され、各キーの操作信号がＣＰＵ５８に送出される。表示部６５は、前記風防ガラス５６の下部に配置されており、ＬＣＤ及びその駆動回路で構成され、ＣＰＵ５８により駆動を制御されて、時計計数回路６３による現在時刻のみならず、各種情報を表示する。測定部６６は、圧力、気圧、高度、水深、温度等を検出する複数種のセンサで構成され、前記センサ内蔵部５４内に配置されており、その検出値をＡ／Ｄ変換してＣＰＵ５８に送出する。送受信回路６７は、ブルートゥース方式により電子カメラ１の送受信部１６と通信を行うものであって、アンテナ６８が接続されている。
【００４０】
以上の構成に係る本実施の形態において、ユーザは電子カメラ１を携帯するとともに、腕に腕時計５を装着しておく。そして、電子カメラ１により撮影を行うべく、撮影モードを設定してシャッター１５を押下すると、電子カメラ１のＭＰＵ１８は、ＭＲＯＭ２９に格納されているプログラムに従って、図４（Ａ）に示すフローチャートに示す処理を実行する。まず、送受信部１６を制御して、撮影を開始したことを示す撮影信号を送信する（ステップＡ１１）。さらに、当該電子カメラ１に固有の識別コードである装置コードを送信するとともに（ステップＡ１２）、電子カメラ１側で計時している現在時刻、日付データを送信する（ステップＡ１３）。引き続き、撮影処理を実行して、ＣＣＤ１７から画像を取り込み、それを圧縮するとともに、圧縮した撮影画像データをフラッシュメモリ２８に記録する（ステップＡ１４）。このとき、画像データは撮影日時をファイル名にして、フラッシュメモリ２８に記録する。
【００４１】
一方、腕時計５のＣＰＵ５８は、ユーザによるキー５７の操作により撮影モードが設定されると、ＲＯＭ５９に格納されているプログラムに従って、同図（Ｂ）に示すフローチャートに示す処理を実行する。すなわち、電子カメラ１から送信される撮影信号を受信したか否かを判断する（ステップＢ１１）。受信しない場合には、一定時間が経過したか否かを判断し（ステップＢ１２）、ステップＢ１１→Ｂ１２→Ｂ１１のループを繰り返す。そして、一定時間が経過するまでに撮影信号が受信されると（ステップＢ１１；ＹＥＳ）、前述のように引き続き電子カメラ１から送信されてくる装置コードを受信するとともに（ステップＢ１３）、時刻、日付データを受信する（ステップＢ１４）。しかる後に、測定部６６を制御して前記各センサにより測定を実行させ（ステップＢ１５）、各センサの測定値を、装置コード、電子カメラ１側から送信されたカメラ日付、時刻、及び腕時計５側で計時している腕時計日付、時刻に対応させて、ＲＡＭ６０に記憶させる（ステップＢ１６）。
【００４２】
したがって、腕時計５を撮影モードにして、電子カメラ１で撮影を行うと、シャッター１５が操作される毎に、電子カメラ１側には、撮影日時をファイル名にして画像データが記録され、腕時計５側には、カメラ日付、時刻、及び腕時計５側で計時している腕時計日付、時刻に対応して測定部６６の測定値が記憶されることとなる。なお、カメラ日付、時刻のみならず腕時計日付、時刻をも記憶させるようにしたのは、両者が不一致である場合を考慮したものである。
【００４３】
そして、撮影終了後ユーザが撮影した画像をＴＦＴ液晶モニター３２にて再生すべく再生モードを設定すると、電子カメラ１のＭＰＵ１８は図５（Ａ）に示すフローチャートに従って処理を実行する。まず、フラッシュメモリ２８に記録されている１枚目の画像データに基づく画像をＴＦＴ液晶モニター３２に表示させる（ステップＡ２１）。次に、装置コードと、当該表示させた画像のファイル名に基づく撮影日時とを送信する（ステップＡ２２）。
【００４４】
他方、腕時計５のＣＰＵ５８は再生モードが設定されると、同図（Ｂ）に示すフローチャートに従って処理を実行し、前記ステップＡ２２での処理により電子カメラ１側から送信されきた装置コードと撮影日時を受信する（ステップＢ２１）。さらに、この受信した装置コードと撮影日時とに基づき、ＲＡＭ６０内にて当該撮影日時に記憶した計測値を検索する（ステップＢ２２）。そして、この検索した計測値データを、前記ステップＢ１６で記憶した撮影時の時計側日時とともに送信する（ステップＢ２３）。
【００４５】
すると、電子カメラ１側においては、このステップＢ２３で腕時計５側から送信された測定値及び前記時計側日時データを受信する（ステップＡ２３）。そして、画像が表示されているＴＦＴ液晶モニター３２の一部に、撮影日時、時計側日時及び測定値を表示させる（ステップＡ２４）。これにより。ＴＦＴ液晶モニター３２には画像とともに、当該画像の撮影日時（撮影時のカメラ日付、時刻）、時計側日時（撮影時の腕時計日付、時刻）とともに、当該撮影時の圧力、気圧、高度、水深、温度等の撮影環境情報が表示される。したがって、撮影環境情報と一体化された画像により、当該画像の信憑性が高められると臨場感が得られる。
【００４６】
そして、ステップＡ２４に続くステップＡ２５では、送りキーが操作された否かを判断し、操作されたならばフラッシュメモリ２８に記憶されている次の画像をＴＦＴ液晶モニター３２に表示して（ステップＡ２６）、前述したステップＡ２２からの処理を繰り返す。
【００４７】
（第２の実施の形態）
図６（Ａ）は、本発明の第２の実施の形態における電子カメラ１側の処理手順を示すフローチャートである。ユーザが電子カメラ１により撮影を行うべく、撮影モードを設定してシャッター１５を押下すると、電子カメラ１のＭＰＵ１８は、ＭＲＯＭ２９に格納されているプログラムに従って、このフローチャートに示す処理を実行する。まず、送受信部１６を制御して、撮影を開始したことを示す撮影信号を送信する（ステップＡ３１）。引き続き、撮影処理を実行して、ＣＣＤ１７から画像を取り込み、それを圧縮するとともに、圧縮した撮影画像データをフラッシュメモリ２８に記録する（ステップＡ３２）。
【００４８】
一方、腕時計５のＣＰＵ５８は、ユーザによるキー５７の操作により通信モードが設定されると、ＲＯＭ５９に格納されているプログラムに従って、同図（Ｂ）に示すフローチャートに示す処理を実行する。すなわち、電子カメラ１から送信される撮影信号を受信したか否かを判断する（ステップＢ３１）。受信しない場合には、一定時間が経過したか否かを判断し（ステップＢ３２）、ステップＢ３１→Ｂ３２→Ｂ３１のループを繰り返す。そして、一定時間が経過するまでに撮影信号が受信されると（ステップＢ３１；ＹＥＳ）、測定部６６を制御して前記各センサにより測定を実行させ（ステップＢ３３）、測定部６６の測定値を送信するとともに（ステップＢ３４）、腕時計５側で計時している腕時計日付、時刻を送信する（ステップＢ３５）。
【００４９】
すると、電子カメラ１側においては、ステップＢ３４で腕時計５側から送信された測定値を受信するとともに（ステップＡ３３）、前記ステップＢ３５で送信された腕時計日付、時刻を受信する（ステップＡ３４）。しかる後に、前記ステップＡ３２の撮影処理でフラッシュメモリ２８に記録した画像に対応付けて、カメラ日付、時刻を記憶するとともに、受信した腕時計日付、時刻、測定値を記憶する。
【００５０】
したがって、腕時計５を通信モードにして、電子カメラ１で撮影を行うと、シャッター１５が操作される毎に、電子カメラ１のフラッシュメモリ２８には、撮影された画像に対応付けてカメラ日付、時刻、腕時計日付、時刻及び測定値が記憶されることとなる。よって、フラッシュメモリ２８に記憶させた画像をＴＦＴ液晶モニター３２に再生表示する際に、ＴＦＴ液晶モニター３２に画像及び当該画像の撮影時のカメラ日付、時刻、撮影時の腕時計日付、時刻とともに、当該撮影時の圧力、気圧、高度、水深、温度等の撮影環境情報が表示させることができる。
【００５１】
（第２の実施の形態の変形例）
図７は、本発明の第２の実施の形態の変形例における電子カメラ１側の処理手順を示すフローチャートである。なお、本変形例においては、前記測定部６６は、図３に付記した圧力、気圧、高度、水深、温度を検出するセンサに加えて、照度を検出する照度センサを具備している。そして、ユーザが電子カメラ１により撮影を行うべく、シャッター１５を押下すると、電子カメラ１のＭＰＵ１８は、ＭＲＯＭ２９に格納されているプログラムに従って、このフローチャートに示す処理を実行する。まず、送受信部１６を制御して、撮影を開始したことを示す撮影信号を送信する（ステップＡ４１）。
【００５２】
一方、腕時計５のＣＰＵ５８は、ユーザによるキー５７の操作により通信モードが設定されると、ＲＯＭ５９に格納されているプログラムに従って、前記図６（Ｂ）に示すフローチャートに示す処理を実行する。すなわち、電子カメラ１から送信される撮影信号を受信したか否かを判断する（ステップＢ３１）。受信しない場合には、一定時間が経過したか否かを判断し（ステップＢ３２）、一定時間が経過するまでステップＢ３１→Ｂ３２→Ｂ３１のループを繰り返す。そして、一定時間が経過するまでに撮影信号が受信されると（ステップＢ３１；ＹＥＳ）、測定部６６を制御して前記各センサにより測定を実行させ（ステップＢ３３）、測定部６６の測定値を送信するとともに（ステップＢ３４）、腕時計５側で計時している腕時計日付、時刻を送信する（ステップＢ３５）。
【００５３】
すると、電子カメラ１側においては、ステップＢ３４で腕時計５側から送信された測定値を受信するとともに（ステップＡ４２）、前記ステップＢ３５で送信された腕時計日付、時刻を受信する（ステップＡ４３）。しかる後に、受信した測定値に応じて撮影条件を設定する（ステップＡ４４）。例えば、照度センサが検出した照度に基づき、シャッター速度、絞り値、感度、ホワイトバランス、ストロボ光量を設定したり、水深センサが検出した水深に基づき、強調色、彩度、コントラストを設定する。そして、このステップＡ４４で設定した撮影条件に従って撮影処理を実行して、ＣＣＤ１７から画像を取り込み、それを圧縮するとともに、圧縮した撮影画像データをフラッシュメモリ２８に記録する（ステップＡ４２）。
【００５４】
なお、本発明の実施の形態においては、１台の撮影環境管理装置としての腕時計５により、対応する１台の電子カメラ１の撮影環境情報を管理するようにしたが、１台の据え置き型の撮影環境管理装置で複数台の電子カメラの撮影環境情報を管理するようにしてもよい。この場合、撮影環境管理装置は所定の場所に配置して各ユーザの電子カメラと無線接続したり、あるいは撮影環境管理装置用のサーバを設けて、サーバ及びネットワークを介して電子カメラと通信可能と通信可能とすればよい。
【図面の簡単な説明】
【００５５】
【図１】本発明の一実施の形態を示すシステム構成図である。
【図２】電子カメラの回路構成を示すブロック構成図である。
【図３】腕時計の回路構成を示すブロック構成図である。
【図４】（Ａ）は第１の実施の形態における撮影時の電子カメラ側処理手順を示すフローチャート、（Ｂ）は腕時計側処理手順を示すフローチャートである。
【図５】（Ａ）は同実施の形態における再生時の電子カメラ側処理手順を示すフローチャート、（Ｂ）は腕時計側処理手順を示すフローチャートである。
【図６】（Ａ）は第２の実施の形態における撮影時の電子カメラ側処理手順を示すフローチャート、（Ｂ）は腕時計側処理手順を示すフローチャートである。
【図７】（第２の実施の形態の変形例における撮影時の電子カメラ側処理手順を示すフローチャートである。
【符号の説明】
【００５６】
１    電子カメラ
５    腕時計
６    時計計数回路
１１    ボディ
１４    ストロボ
１５    シャッター
１６    送受信部
１７    ＣＣＤ
１８    ＭＰＵ
２６    ユニット回路
２７    ＤＲＡＭ
２８    フラッシュメモリ
２９    ＭＲＯＭ
３０    電源回路
３１    操作キー部
３２    ＴＦＴ液晶モニター
５４    センサ内蔵部
５５    送受信部
５７    キー
５８    ＣＰＵ
５９    ＲＯＭ
６０    ＲＡＭ
６１    発振回路
６２    分周回路
６３    時計計数回路
６４    スイッチ部
６５    表示部
６６    測定部
６７    送受信回路
６８    アンテナ
【図１】
2006093931.tif 000003
【図２】
2006093931.tif 000004
【図３】
2006093931.tif 000005
【図４】
2006093931.tif 000006
【図５】
2006093931.tif 000007
【図６】
2006093931.tif 000008
【図７】
2006093931.tif 000009